(57)【特許請求の範囲】
【請求項１】
引戸上部に配設され引戸を閉止方向に付勢するダンパーと、該ダンパーのロッドに配設されたスライダと、該スライダと対峙するように戸枠側に設けられたトリガーと、スライダに設けられ、所定の開放位置でトリガーと係脱するキャッチ部材とを備え、引戸を所定の開放位置から閉止位置まで自動的に閉じるようにした引戸の自動閉止装置において、ダンパーのロッドに直列にスライダを配設するとともに、スライダを引戸の開き方向に付勢してダンパーの付勢力を減衰するばね部材をダンパー及びスライダに対して並設し、ばね部材の固定側端部に、ばね部材の張力を調整するばね調整ねじを設けたことを特徴とする引戸の自動閉止装置。
【請求項２】
キャッチ部材がスライダに揺動可能に枢支され、トリガーと係合することによりガイドレール上を移動し、ガイドレールの終端で転倒することによりトリガーから離脱するとともに、転倒することにより上昇したキャッチ部材の尾部をトリガーの押片で掛止することによりキャッチ部材を起こすように構成し、前記トリガーの押片の掛止部を円弧状の凹部として形成したことを特徴とする請求項１記載の引戸の自動閉止装置。
【発明の詳細な説明】
【技術分野】
【０００１】
本発明は、引戸の自動閉止装置に関し、特に、引戸を最初に開けるときに要する力を軽減し、この開き始めに要する力と、所定の開放位置でキャッチ部材がトリガーから離脱した後に要する力との差を小さくするようにした引戸の自動閉止装置に関するものである。
【背景技術】
【０００２】
従来から引戸を閉止する際に、引戸に加えた力が大きすぎた場合、戸枠に引戸が衝突して衝撃音が発生したり、跳ね返って完全に閉止できないことがあった。
逆に引戸に加える力が小さすぎた場合、完全に引戸が閉まらずに途中で止まってしまうことがあった。
【０００３】
このような問題に対処すべく、引戸を所定の開放位置から閉止位置まで自動的に閉じるようにした引戸の自動閉止装置がある。
この引戸の自動閉止装置は、引戸上部に配設され引戸を閉止方向に付勢するダンパーと、該ダンパーのロッドに固定されたスライダと、該スライダと対向するように戸枠側に設けられたトリガーと、スライダに設けられ、所定の開放位置でトリガーと係脱するキャッチ部材とを備えている。
そして、引戸をダンパーで閉止方向に一定速度で押圧することにより、引戸の急激な閉じ動作を防止するとともに、引戸を閉止位置まで自動的に閉じるようにしている。
【０００４】
ところで、この従来の引戸の自動閉止装置ではダンパーの力が大きくなるため、引戸を最初に開けるときに大きな力が必要となり、この開き始めに要する力と、所定の開放位置でキャッチ部材がトリガーから離脱した後に要する力との差が大きくなりすぎるという問題があった。
【発明の開示】
【発明が解決しようとする課題】
【０００５】
本発明は、上記従来の引戸の自動閉止装置が有する問題点に鑑み、引戸を最初に開けるときに要する力を軽減し、この開き始めに要する力と、所定の開放位置でキャッチ部材がトリガーから離脱した後に要する力との差を小さくするようにした引戸の自動閉止装置を提供することを目的とする。
【課題を解決するための手段】
【０００６】
上記目的を達成するため、本発明の引戸の自動閉止装置は、引戸上部に配設され引戸を閉止方向に付勢するダンパーと、該ダンパーのロッドに配設されたスライダと、該スライダと対峙するように戸枠側に設けられたトリガーと、スライダに設けられ、所定の開放位置でトリガーと係脱するキャッチ部材とを備え、引戸を所定の開放位置から閉止位置まで自動的に閉じるようにした引戸の自動閉止装置において、ダンパーのロッドに直列にスライダを配設するとともに、スライダを引戸の開き方向に付勢してダンパーの付勢力を減衰するばね部材をダンパー及びスライダに対して並設し、ばね部材の固定側端部に、ばね部材の張力を調整するばね調整ねじを設けたことを特徴とする。
【０００７】
この場合において、キャッチ部材がスライダに揺動可能に枢支され、トリガーと係合することによりガイドレール上を移動し、ガイドレールの終端で転倒することによりトリガーから離脱するとともに、転倒することにより上昇したキャッチ部材の尾部をトリガーの押片で掛止することによりキャッチ部材を起こすように構成し、前記トリガーの押片の掛止部を円弧状の凹部として形成することができる。
【発明の効果】
【０００８】
本発明の引戸の自動閉止装置によれば、ばね部材によってダンパーの大きすぎる力を減衰して、引戸を最初に開けるときに要する力を軽減し、この開き始めに要する力と、所定の開放位置でキャッチ部材がトリガーから離脱した後に要する力との差を小さくすることができ、また、装置全体の大きさが長大になるのを防止することができる。
【０００９】
そして、ばね部材の固定側端部に、ばね部材の張力を調整するばね調整ねじを設けることにより、引戸の重量に合わせてダンパーの力を調節し、重い引戸でも閉じるようにしたり、軽い引戸でもゆっくりと閉じるようにすることができる。
【００１０】
また、キャッチ部材がスライダに揺動可能に枢支され、トリガーと係合することによりガイドレール上を移動し、ガイドレールの終端で転倒することによりトリガーから離脱するとともに、転倒することにより上昇したキャッチ部材の尾部をトリガーの押片で掛止することによりキャッチ部材を起こすように構成し、前記トリガーの押片の掛止部を円弧状の凹部として形成することにより、キャッチ部材が起きるときにその尾部を円弧状の凹部で案内することができ、これにより、キャッチ部材とトリガーとが係合する際の衝撃音をなくすことができる。
【発明を実施するための最良の形態】
【００１１】
以下、本発明の引戸の自動閉止装置の実施の形態を、図面に基づいて説明する。
【実施例１】
【００１２】
図１〜図４に、本発明の引戸の自動閉止装置の一実施例を示す。
【００１３】
この引戸の自動閉止装置は、引戸（図示省略）の上部に配設され引戸を閉止方向に付勢するダンパー１と、該ダンパー１のロッド１ａに配設されたスライダ２と、該スライダ２と対峙するように戸枠（図示省略）側に設けられたトリガー３と、スライダ２に設けられ、所定の開放位置でトリガー３と係脱するキャッチ部材４とを備え、引戸を所定の開放位置から閉止位置まで自動的に閉じるようにしている。
そして、スライダ２を引戸の開き方向に付勢してダンパー１の付勢力を減衰するばね部材５をダンパー１に対して並設するようにしている。
【００１４】
ダンパー１は、本実施例においては、より耐久性を持たせるために、ガスダンパーを使用しているが、同じ機能を有する各種ダンパーを用いることができる。
ダンパー１をスライダ２に直結することによって、ダンパー１に直接かかる力を軽減するとともに、ダンパー１がよりスムーズに負担のない動きができるようにしている。
キャッチ部材４をダンパー１に直接取り付けてしまうと、ダンパー１に圧力がかかりすぎ、動きがスムーズにならなくなる。このため、スライダ２にキャッチ部材４を取り付け、スライダ２でダンパー１にかかる負荷を抑えるようにしている。
【００１５】
また、ダンパー１とスライダ２の動きをよりよくするために、ダンパー１のロッド１ａとスライダ２を直接取り付けるのではなく、緩衝材として軟質塩化ビニルの棒材２１を間に介在させることも可能である。
これにより、スライダ２に負荷がかかったとしても、ダンパー１とスライダ２の間にある程度の遊びの部分を作ることができ、これにより、ダンパー１に負荷をかけることなくスムーズな動きをさせることができる。
なお、軟質塩化ビニルの棒材２１は、パイプ２２を介してダンパー１のロッド１ａと接続されている。
【００１６】
スライダ２は、図２に示すように、その基部側から上にばね掛け部２３を突設するとともに、該ばね掛け部２３とケーシング６の端部との間に、ばね部材５として引っ張りばねを介設している。
ばね部材５の固定側端部には、ばね部材５の張力を調整するばね調整ねじ７が設けられており、引戸の重量に合わせてダンパー１の力を調節することにより、重い引戸でも閉じられるようにしたり、軽い引戸でもゆっくりと閉じられるようにしている。
具体的には、ばね調整ねじ７を締めれば、ばね部材５が緩んでダンパー１にかかる力が少なくなり、重い引戸でも閉めることができ、反対にばね調整ねじ７を緩めれば、ばね部材５が伸ばされダンパー１にかかる力が大きくなり、軽い引戸もゆっくり閉めることができる。
【００１７】
一方、キャッチ部材４は、図４（ｂ）に示すように、スライダ２上のベース２４に揺動可能に枢支されており、戸枠側のトリガー３と係合することによりガイドレール８の上を移動し、ガイドレール８の終端８１で転倒することによりトリガー３から離脱する。
なお、転倒したキャッチ部材４は、ガイドレール８の終端８１に掛止することにより、転倒した姿勢を保ちながらダンパー１の付勢力に抗してその位置で停止する。
そして、図４（ａ）に示すように、転倒することにより上昇したキャッチ部材４の尾部４１を、トリガー３の押片３１が掛止することによりキャッチ部材４が起き、トリガー３と係合するようになっている。
この場合、本実施例では、前記トリガー３の押片３１の掛止部３２を円弧状（半円状）の凹部として形成している。
これにより、キャッチ部材４が起きるときに、キャッチ部材４の突出する尾部４１を円弧状の凹部で円滑に案内し、キャッチ部材４とトリガー３とが係合する際の衝撃音をなくすようにしている。
なお、キャッチ部材４は、戸先側に上方に突出する突片４２を有し、係合時には、この突片４２の内側にトリガー３の押片３１が入る。
そして、この状態でダンパー１の付勢力が働くことにより、キャッチ部材４の突片４２がトリガー３の押片３１を押し、引戸が閉じ方向に移動する。
【００１８】
かくして、本実施例の引戸の自動閉止装置は、引戸上部に配設され引戸を閉止方向に付勢するダンパー１と、該ダンパー１のロッド１ａに配設されたスライダ２と、該スライダ２と対峙するように戸枠側に設けられたトリガー３と、スライダ２に設けられ、所定の開放位置でトリガー３と係脱するキャッチ部材４とを備え、引戸を所定の開放位置から閉止位置まで自動的に閉じるようにした引戸の自動閉止装置において、スライダ２を引戸の開き方向に付勢してダンパー１の付勢力を減衰するばね部材５をダンパー１に対して並設することから、このばね部材５によってダンパー１の大きすぎる力を減衰して、引戸を最初に開けるときに要する力を軽減し、この開き始めに要する力と、所定の開放位置でキャッチ部材４がトリガー３から離脱した後に要する力との差を小さくすることができ、また、装置全体の大きさが長大になるのを防止することができる。
【００１９】
また、ばね部材５の固定側端部に、ばね部材５の張力を調整するばね調整ねじ７を設けることにより、引戸の重量に合わせてダンパー１の力を調節し、重い引戸でも閉じるようにしたり、軽い引戸でもゆっくりと閉じるようにすることができる。
【００２０】
また、キャッチ部材４がスライダ２に揺動可能に枢支され、トリガー３と係合することによりガイドレール８上を移動し、ガイドレール８の終端８１で転倒することによりトリガー３から離脱するとともに、転倒することにより上昇したキャッチ部材４の尾部４１をトリガー３の押片３１で掛止することによりキャッチ部材４を起こすように構成し、前記トリガー３の押片３１の掛止部３２を円弧状の凹部として形成することにより、キャッチ部材４が起きるときにその尾部４１を円弧状の凹部で案内することができ、これにより、キャッチ部材４とトリガー３とが係合する際の衝撃音をなくすことができる。
【００２１】
以上、本発明の引戸の自動閉止装置について、その実施例に基づいて説明したが、本発明は上記実施例に記載した構成に限定されるものではなく、その趣旨を逸脱しない範囲において適宜その構成を変更することができる。
【産業上の利用可能性】
【００２２】
本発明の引戸の自動閉止装置は、引戸を最初に開けるときに要する力を軽減し、この開き始めに要する力と、所定の開放位置でキャッチ部材がトリガーから離脱した後に要する力との差を小さくするという特性を有していることから、高品位の引戸の自動閉止装置として広く好適に用いることができる。
【図面の簡単な説明】
【００２３】
【図１】本発明の引戸の自動閉止装置の一実施例を示し、（ａ）は引戸が開いたときの断面図、（ｂ）同引戸の自動閉止装置の分解図、（ｃ）はキャッチ部材とトリガーの係脱を示す断面図、（ｄ）は同引戸の自動閉止装置の引戸が閉じたときの断面図である。
【図２】同引戸の自動閉止装置を示し、（ａ）はその平面図、（ｂ）は同正面図、（ｃ）は同右側面図である。
【図３】同引戸の自動閉止装置を示し、（ａ）は引戸が開いたときの平面図、（ｂ）は同底面図、（ｃ）は引戸が閉じたときの平面図、（ｄ）は同底面図である。
【図４】キャッチ部材とトリガーの係脱を示し、（ａ）はその係合時の状態を示す説明図、（ｂ）はその離脱時の状態を示す説明図である。
【符号の説明】
【００２４】
１    ダンパー
１ａ  ロッド
２    スライダ
２１  棒材
２２  パイプ
２３  ばね掛け部
２４  ベース
３    トリガー
３１  押片
３２  掛止部
４    キャッチ部材
４１  尾部
４２  突片
５    ばね部材
６    ケーシング
７    ばね調整ねじ
８    ガイドレール
８１  終端
【図１】
0004912998.tif 000002
【図２】
0004912998.tif 000003
【図３】
0004912998.tif 000004
【図４】
0004912998.tif 000005